【手続補正書】
【提出日】平成26年1月24日(2014.1.24)
【手続補正１】
【補正対象書類名】特許請求の範囲
【補正対象項目名】全文
【補正方法】変更
【補正の内容】
【特許請求の範囲】
【請求項１】
光を反射するリフレクタを保持するための取り付け穴を有する筐体と、この筐体内に原稿の読取幅方向に延在して設けられ、前記リフレクタとの位置を保持するための第１の保持機構を有する導光体と、この導光体に沿って設けられ、前記導光体から出射された光を集光して前記原稿の照射部を照射し、前記リフレクタとの位置を保持するための第２の保持機構を有する集光レンズと、前記導光体及び集光レンズに沿った長さを有し、前記導光体の第１の保持機構と前記集光レンズの第２の保持機構と係合して前記導光体及び集光レンズを保持してその位置を維持する第３の保持機構を有すると共に、前記筐体に設けられた取り付け穴と係合してその位置を保持する第４の保持機構を有する前記リフレクタと、前記集光レンズ及び導光体の端部に設置され、前記リフレクタと前記集光レンズ及び導光体を前記筐体の端部で位置固定するホルダーと、前記導光体の端面近傍に配置され、前記導光体に光を入射させる光源と、この光源を載置すると共に前記光源に電力を供給するリード端子を有し、前記ホルダー端面を覆う基板を備え、前記筐体の取り付け穴、前記導光体の第１の保持機構、前記集光レンズの第２の保持機構、前記リフレクタの第３の保持機構および前記リフレクタの第４の保持機構は、前記原稿の読取幅方向の両端以外に１つ乃至複数個を設けたことを特徴とする密着型イメージセンサ。
【請求項２】
前記導光体の第１の保持機構は突起部、前記集光レンズの第２の保持機構は輪状の爪部、前記リフレクタの第３の保持機構は鍵状の爪部で構成されたことを特徴とする請求項１に記載の密着型イメージセンサ。
【請求項３】
前記リフレクタの第４の保持機構は、前記筐体に設けられた取り付け穴に貫通して引っ掛ける爪部と、前記筐体に設けられた取り付け穴に嵌合する突起部とで構成されたことを特徴とする請求項１または請求項２に記載の密着型イメージセンサ。
【請求項４】
前記光源は、前記導光体の両端部に設置されている請求項１乃至請求項３のいずれか１項に記載の密着型イメージセンサ。
【請求項５】
前記光源、前記導光体、前記集光レンズ及び前記リフレクタは、前記照射部に対して読取幅方向と直交する両側に設置されている請求項１乃至請求項４のいずれか１項に記載の密着型イメージセンサ。
【請求項６】
光を反射するリフレクタを保持するための取り付け穴を有する筐体と、この筐体内に原稿の読取幅方向に延在して設けられ、前記リフレクタとの位置を保持するための第１の保持機構を有し、前記原稿の照射部を照射する導光体と、この導光体に沿った長さを有し、前記導光体の第１の保持機構と係合して前記導光体を保持してその位置を維持する第３の保持機構を有すると共に、前記筐体に設けられた取り付け穴と係合してその位置を保持する第４の保持機構を有する前記リフレクタと、前記導光体の端部に設置され、前記リフレクタと前記導光体を前記筐体の端部で位置固定するホルダーと、前記導光体の端面近傍に配置され、前記導光体に光を入射させる光源と、この光源を載置すると共に前記光源に電力を供給するリード端子を有し、前記ホルダー端面を覆う基板を備え、前記筐体の取り付け穴、前記導光体の第１の保持機構、前記リフレクタの第３の保持機構および前記リフレクタの第４の保持機構は、前記原稿の読取幅方向の両端以外に１つ乃至複数個を設けたことを特徴とする密着型イメージセンサ。
【請求項７】
前記光源は、前記導光体の両端部に設置されている請求項６に記載の密着型イメージセンサ。
【請求項８】
前記光源、前記導光体及び前記リフレクタは、前記照射部に対して読取幅方向と直交する両側に設置されている請求項６または請求項７に記載の密着型イメージセンサ。 
【手続補正２】
【補正対象書類名】明細書
【補正対象項目名】００２１
【補正方法】変更
【補正の内容】
【００２１】
図３の（a）位置での搬送方向断面図を示す図５は、導光体３、集光レンズ４、リフレクタ５の長手方向（読取幅方向）中央部にあたる。この(a)位置を示す図５では、導光体３の外周部の対向位置（１８０度離れた位置）には、リフレクタ５との位置を保持するための第１の保持機構である突起部３ａ、３ｂが形成されている。一方、リフレクタ５には、導光体３の突起部３ａ、３ｂに係合して導光体３を保持する第３の保持機構である爪部５ａ、５ｂが設けられている。
導光体３をリフレクタ５に組立て時に挿入する際、リフレクタ５の爪部５ａ、５ｂの付け根部分の角状の部分が、それぞれ導光体３の突起部３ａ、３ｂに引っ掛かることで長手方向位置、導光体３の角度が保持される構造になっている。この状態が図９（ｂ）の状態である。 
【手続補正３】
【補正対象書類名】明細書
【補正対象項目名】００２２
【補正方法】変更
【補正の内容】
【００２２】
導光体３をリフレクタ５に挿入した後に集光レンズ４をリフレクタ５に取り付ける。集光レンズ４には、導光体３の突起部３ａ、３ｂと搬送方向断面において同じ位置に組み合わさるように、リフレクタ５の爪部５ａ、５ｂの先端の鍵部分に引っ掛かってリフレクタ５との位置を保持するための第２の保持機構である爪部４ａ、４ｂを有している。リフレクタ５側の爪部５ａ、５ｂが鍵状の形状になっているのに対して、集光レンズ４の爪部４ａ、４ｂは図９（ａ）に示すように輪状になっており、リフレクタ５側の鍵状の爪部５ａ、５ｂに集光レンズ４側の輪状の爪部４ａ、４ｂが各々引っ掛かることで位置固定される。
【手続補正４】
【補正対象書類名】明細書
【補正対象項目名】００２４
【補正方法】変更
【補正の内容】
【００２４】
また、長手方向中央部では、筐体２の取付け穴２ａ、２ｂの径よりも小さい径の凹状の取付け穴２ｃを筐体２に設け、リフレクタ５の中央部に設けた第４の保持機構である突起部５ｅと嵌合させる。
したがってリフレクタ５は、導光体３の第１の保持機構である突起部３ａ、３ｂと集光レンズ４の第２の保持機構である爪部４ａ、４ｂと係合して導光体３及び集光レンズ４を保持してその位置を維持する第３の保持機構である爪部５ａ、５ｂを有すると共に、筐体２に設けられた取り付け穴２ａ、２ｂ、２ｃと係合してその位置を保持する第４の保持機構である爪部５ｃ、５ｄと突起部５ｅを有することになる。
【手続補正５】
【補正対象書類名】明細書
【補正対象項目名】００２６
【補正方法】変更
【補正の内容】
【００２６】
なお、導光体３の第１の保持機構である突起部３ａ、３ｂと、集光レンズ４の第２の保持機構である爪部４ａ、４ｂと、リフレクタ５の第３の保持機構である爪部５ａ、５ｂと第４の保持機構である爪部５ｃ、５ｄは、図９に示すように原稿１の読取幅方向に複数個（図９では５個）設けている。このように保持機構を複数個設けると、導光体３と集光レンズ４とリフレクタ５のアッセンブル体が筐体２に対して長手方向（読取幅方向）に均一に各々の位置を保持することができる。保持機構を複数個設ける場合は、各保持機構は長手方向（読取幅方向）に対して等距離間隔で配置する。
なお、第１〜第４の保持機構は、複数個に限らず１個でもよい。１個の場合は長手方向（読取幅方向）中央位置に設ける。このようにこの発明は第１〜第４の保持機構を原稿の読取幅方向（長手方向）の両端以外に１つ乃至複数個を設け、１個または奇数個の場合は（読取幅方向）の中央位置に少なくとも１個設けることにより、アッセンブル体が筐体２に対して長手方向に均一に各々の位置を保持することができる。